(57)【要約】【課題】ハイブリッド車両において、エンジンの再始動直後の加速時等における信頼性悪化を防止すると共に、走行性低下を防止することが可能な車両制御装置を提供すること。【解決手段】エンジンコントローラ１１は、油温検出部３１、水温検出部３３、エンジン表面温度検出部３５、エンジン停止時間検出部３７、潤滑状態判定部３９、エンジン制御部４１、モータ制御部４３を含む。潤滑状態判定部３９は、各検出部３１〜３７での検出結果に基づいて、エンジンにおける潤滑状態が潤滑低下状態であるか否かを判定する。潤滑状態判定部３９にて、エンジンにおける潤滑状態が潤滑低下状態であると判定されると、エンジンを再始動するために、エンジン制御部４１はインジェクタ等に対して制御信号を出力すると共に、モータ制御部４３はモータを駆動するようにモータコントローラ１３に対して制御指令を出力する。【選択図】  図２
2004204712.tif 000002
【特許請求の範囲】
【請求項１】
エンジン及び電動機を搭載し前記エンジン及び前記電動機の少なくとも一方の駆動力により走行可能なハイブリッド車両に設置される車両制御装置であって、
前記エンジンにおける潤滑状態を判定する潤滑状態判定手段と、
前記エンジンを潤滑された状態に保持する潤滑状態保持手段とを備え、
前記潤滑状態判定手段により前記エンジンにおける前記潤滑状態が潤滑低下状態であると判定された際に、前記潤滑状態保持手段を動作させることを特徴とする車両制御装置。
【請求項２】
前記潤滑状態保持手段は、前記エンジンを始動させることにより、当該エンジンを潤滑された状態に保持することを特徴とする請求項１に記載の車両制御装置。
【請求項３】
前記潤滑状態保持手段は、前記エンジンと接続された発電用電動機で前記エンジンを駆動することにより、当該エンジンを潤滑された状態に保持することを特徴とする請求項１又は請求項２に記載の車両制御装置。
【請求項４】
前記潤滑状態判定手段は、前記エンジンの潤滑油の温度に基づいて、前記潤滑状態を判定することを特徴とする請求項１〜請求項３のいずれか一項に記載の車両制御装置。
【請求項５】
前記潤滑状態判定手段は、前記エンジンの冷却水の温度に基づいて、前記潤滑状態を判定することを特徴とする請求項１〜請求項３のいずれか一項に記載の車両制御装置。
【請求項６】
前記エンジンの冷却系統と前記電動機の冷却系統とが分割されていることを特徴とする請求項５に記載の車両制御装置。
【請求項７】
前記潤滑状態判定手段は、前記エンジンの表面温度に基づいて、前記潤滑状態を判定することを特徴とする請求項１〜請求項３のいずれか一項に記載の車両制御装置。
【請求項８】
前記潤滑状態判定手段は、前記エンジンが停止してからの経過時間に基づいて、前記潤滑状態を判定することを特徴とする請求項１〜請求項３のいずれか一項に記載の車両制御装置。
【請求項９】
前記潤滑状態判定手段は、可変の判定基準値を有し、当該判定基準値との比較により前記潤滑状態を判定することを特徴とする請求項１〜請求項８のいずれか一項に記載の車両制御装置。
【請求項１０】
前記判定基準値は、乗員により変更可能であることを特徴とする請求項９に記載の車両制御装置。
【請求項１１】
前記判定基準値は、外気温度に応じて変更されることを特徴とする請求項９に記載の車両制御装置。
【請求項１２】
前記潤滑状態判定手段により前記エンジンにおける前記潤滑状態が所定の潤滑状態であると判定された際に、前記潤滑状態保持手段の動作を停止させることを特徴とする請求項１〜請求項１１のいずれか一項に記載の車両制御装置。
【発明の詳細な説明】
【０００１】
【発明の属する技術分野】
本発明は、ハイブリッド車両の制御を行う車両制御装置に関するものである。
【０００２】
【従来の技術】
エンジン及び電動機を搭載し、そのエンジン及び電動機の少なくとも一方の駆動力により走行可能なハイブリッド車両において、電動機のみで走行中に急加速等、高駆動力を必要とする場合には、エンジンを始動させて不足分の駆動力を補うことが行われる。上記ハイブリッド車両では、エンジンの使用頻度が少ない走行をし、しばらくエンジンが使用されなかった後に、急加速等によりエンジンを始動させた場合、ピストンやシリンダに油膜が形成されていない状態にも係わらず、始動直後にエンジン回転数がアイドル回転数より高回転になることがあり、油膜形成不良により、エンジンの信頼性に悪影響を与える可能性がある。このため、エンジン始動時の潤滑状態が低い時には、エンジンの回転数の上昇を低下方向に補正する技術が存在している（例えば、特許文献１参照。）。
【０００３】
【特許文献１】
特開２０００−２７８８１３号公報
【０００４】
【発明が解決しようとする課題】
しかしながら、エンジンの回転数の上昇を低下方向に補正した場合、車両状態により加速感に違いが発生し、運転者に違和感を与えてしまう可能性がある。また、エンジン回転数の上昇を低下方向に補正している時には、運転者が車両を加速（例えば、追い越し時等）させたいにも係わらず、車両が加速しないことになる。
【０００５】
本発明の課題は、ハイブリッド車両において、エンジンの再始動直後の加速時等における信頼性悪化を防止すると共に、走行性低下を防止することが可能な車両制御装置を提供することである。
【０００６】
【課題を解決するための手段】
本発明に係る車両制御装置は、エンジン及び電動機を搭載しエンジン及び電動機の少なくとも一方の駆動力により走行可能なハイブリッド車両に設置される車両制御装置であって、エンジンにおける潤滑状態を判定する潤滑状態判定手段と、エンジンを潤滑された状態に保持する潤滑状態保持手段とを備え、潤滑状態判定手段によりエンジンにおける潤滑状態が潤滑低下状態であると判定された際に、潤滑状態保持手段を動作させることを特徴としている。
【０００７】
本発明に係る車両制御装置では、潤滑状態判定手段及び潤滑状態保持手段を備え、潤滑状態判定手段によりエンジンにおける潤滑状態が潤滑低下状態であると判定された際に、潤滑状態保持手段が動作する。これにより、エンジンが停止されて潤滑状態が低くなってきた場合には、車両の走行状態に関係なくエンジンが潤滑された状態に保持されることとなり、油膜が適切に形成される。この結果、エンジンの再始動直後の加速時等において、油膜形成不良により信頼性が悪化するのを防ぐとことができる。また、エンジンが潤滑された状態に保持されていることから、エンジン回転数の上昇を低下方向に補正するといった制御を実行する必要がないため、走行性の低下を防止することができる。
【０００８】
また、本発明に係る車両制御装置において、潤滑状態保持手段は、エンジンを始動させることにより、当該エンジンを潤滑された状態に保持することが好ましい。このように構成した場合、極めて簡易且つ容易に、エンジンを潤滑された状態に保持することができる。
【０００９】
また、本発明に係る車両制御装置において、潤滑状態保持手段は、エンジンと接続された発電用電動機でエンジンを駆動することにより、当該エンジンを潤滑された状態に保持することが好ましい。このように構成した場合、極めて簡易且つ容易に、エンジンを潤滑された状態に保持することができる。
【００１０】
また、本発明に係る車両制御装置において、潤滑状態判定手段は、エンジンの潤滑油の温度に基づいて、潤滑状態を判定することが好ましい。このように構成した場合、エンジンの潤滑状態を適切に判定することができる。
【００１１】
また、本発明に係る車両制御装置において、潤滑状態判定手段は、エンジンの冷却水の温度に基づいて、潤滑状態を判定することが好ましい。このように構成した場合、エンジンの潤滑状態を適切に判定することができる。
【００１２】
また、本発明に係る車両制御装置において、エンジンの冷却系統と電動機の冷却系統とが分割されていることが好ましい。このように構成した場合、エンジンの冷却水の温度を適切に検知することができる。
【００１３】
また、本発明に係る車両制御装置において、潤滑状態判定手段は、エンジンの表面温度に基づいて、潤滑状態を判定することが好ましい。このように構成した場合、エンジンの潤滑状態を適切に判定することができる。
【００１４】
また、本発明に係る車両制御装置において、潤滑状態判定手段は、エンジンが停止してからの経過時間に基づいて、潤滑状態を判定することが好ましい。このように構成した場合、エンジンの潤滑状態を適切に判定することができる。
【００１５】
また、本発明に係る車両制御装置において、潤滑状態判定手段は、可変の判定基準値を有し、当該判定基準値との比較により潤滑状態を判定することが好ましい。このように構成した場合、エンジンの潤滑状態を適切且つ簡易に判定することができる。
【００１６】
また、本発明に係る車両制御装置において、判定基準値は、乗員により変更可能であることが好ましい。このように構成した場合、判定基準値を走行条件等に応じて乗員が適切に設定することができる。
【００１７】
また、本発明に係る車両制御装置において、判定基準値は、外気温度に応じて変更されることが好ましい。このように構成した場合、判定基準値を外気の状態に応じて適切に設定することができる。
【００１８】
また、本発明に係る車両制御装置において、潤滑状態判定手段によりエンジンにおける潤滑状態が所定の潤滑状態であると判定された際に、潤滑状態保持手段の動作を停止させることが好ましい。このように構成した場合、必要以上に潤滑状態保持手段を動作させるのを防止して、エネルギーロスを抑制することができる。
【００１９】
【発明の実施の形態】
本発明の実施形態に係る車両制御装置について図面を参照して説明する。なお、説明において、同一要素又は同一機能を有する要素には、同一符号を用いることとし、重複する説明は省略する。
【００２０】
まず、図１に基づいて、ハイブリッド車両１の構成について説明する。図１は、本実施形態に係るハイブリッド車両の構成を示す概略図である。
【００２１】
ハイブリッド車両１は、エンジンＥと２つのモータＡ，Ｂとを併用するシリーズ＆パラレル方式のハイブリッド車両であり、エンジンＥと、エンジンＥの出力軸３に直結されたエンジンＥの起動（始動）及び発電・動力アシストを担うモータＡと、走行時の駆動力源になると共に減速エネルギーの回収を担うモータＢと、エンジンＥ及びモータＡ，Ｂに連結される動力伝達機構ＴＭ等を駆動系として備えている。エンジンＥ、モータＡ，Ｂからの駆動力は、動力伝達機構ＴＭを介して駆動輪５に伝達される。ここで、モータＡは各請求項における発電用電動機に相当し、同じくモータＢは各請求項における電動機に相当する。
【００２２】
エンジンＥには、エンジンＥの出力軸３から駆動力を受けて作動する出力軸３に直結されたオイルポンプ（図示せず）を有しており、このオイルポンプによりオイルの供給圧力を高めて、エンジンＥの摺動部にオイルを供給する。モータＡは、エンジンＥの出力軸３に直結されているため、エンジンＥを停止していても、モータＡの回転でエンジンＥの出力軸３を回転して、上述のオイルポンプを駆動させることができるようになっている。
【００２３】
以上の駆動系は、複数の制御コントローラを含むハイブリッド制御システムによって制御されるようになっており、各コントローラがマイクロコンピュータとマイクロコンピュータによって制御される機能回路とから構成されている。具体的には、エンジンＥを制御するエンジンコントローラ１１と、モータＡ，Ｂを駆動制御するモータコントローラ１３とを含んでいる。
【００２４】
エンジンコントローラ１１は、ハイブリッド制御システム全体の制御を行うもので、運転者の運転操作状況を検出するセンサ・スイッチ類、例えば、アクセルペダルの踏み込み量を検出するアクセルペダルセンサ、シフトレバーにより選択されたシフトポジション（Ｄ，Ｒ，Ｎ，Ｐ）に配設されているスイッチがＯＮすることで、シフトポジションを検出するシフトレンジスイッチ（いずれも図示せず）等が接続されている。そして、エンジンコントローラ１１では、各センサ・スイッチ類からの信号やモータコントローラ１３等から送信されたデータに基づいて必要な車両駆動トルクを演算して駆動系のトルク配分をトルク指令として決定する。
【００２５】
また、エンジンコントローラ１１は、エンジンＥのトルク制御を行うものでもあり、正負のトルク指令、燃料カット指令、エアコンＯＮ／ＯＦＦ許可指令等の制御指令、及び、実トルクフィードバックデータ、車速、シフトレンジスイッチにより選択したシフトポジション（Ｄ，Ｒ，Ｐ，Ｎレンジ等）を示す信号、アクセルペダルセンサの信号によるアクセル全開データやアクセル全閉データ等に基づいて、図示しないインジェクタからの燃料噴射量、ＥＴＣ（電動スロットル弁）によるスロットル開度、エアコン等の補機類のパワー補正学習、燃料カット等を制御する。
【００２６】
更に、エンジンコントローラ１１は、電力管理ユニットとしても機能し、バッテリ１５を管理する上での各種制御、すなわち、バッテリ１５の充放電制御、ファン制御等を実行する。また、エンジンコントローラ１１は、バッテリ１５の残存容量、電圧、電流制限値、及び実電流等を示すデータを取得する。
【００２７】
モータコントローラ１３は、モータＡ，Ｂをそれぞれ駆動するためのインバータを備えるものである。モータコントローラ１３は、エンジンコントローラ１１から送信されるサーボＯＮ／ＯＦＦ指令や回転数指令によって、モータＡの定回転数制御を行う。一方、モータコントローラ１３からは、エンジンコントローラ１１に対し、モータＡのトルク、回転数、及び電流値等をフィードバックして送信し、更に、トルク制限要求や電圧値等のデータを送信する。
【００２８】
また、モータコントローラ１３は、エンジンコントローラ１１から送信されるサーボＯＮ／ＯＦＦ（正転、逆転を含む）指令やトルク指令（力行、回生）によって、モータＢの定トルク制御を行う。一方、モータコントローラ１３からは、エンジンコントローラ１１に対し、モータＢのトルク、回転数、及び電流値等をフィードバックして送信し、更に、電圧値等のデータを送信する。
【００２９】
また、本実施形態においては、エンジンコントローラ１１は、エンジンＥにおける潤滑状態を判定し、当該潤滑状態が潤滑低下状態である場合に、オイルポンプを駆動させるようになっており、エンジンＥの潤滑状態を制御する制御手段としての機能を有している。
【００３０】
具体的には、エンジンコントローラ１１には、油温センサ２１、水温センサ２３、エンジン表面温度センサ２５等が接続され、各センサからの信号が入力され、上述のエンジンＥの潤滑状態制御を行う。また、エンジンコントローラ１１はエンジン停止時間タイマ２７を含んでおり、当該エンジン停止時間タイマ２７は、エンジンＥが停止してからの経過時間を計測する。
【００３１】
エンジンコントローラ１１は、記憶されているエンジン潤滑状態制御処理プログラムを実行することにより、機能的な構成要素として、図２に示されるように、油温検出部３１と、水温検出部３３と、エンジン表面温度検出部３５と、エンジン停止時間検出部３７と、潤滑状態判定部（潤滑状態判定手段）３９と、エンジン制御部４１と、モータ制御部４３とを備えて構成される。
【００３２】
油温検出部３１は、油温センサ２１から送られてきた信号に基づいて、エンジンＥの潤滑油の温度を検出する。水温検出部３３は、水温センサ２３から送られてきた信号に基づいて、エンジンＥの冷却水の温度を検出する。エンジン表面温度検出部３５は、エンジン表面温度センサ２５から送られてきた信号に基づいて、エンジンＥの表面温度を検出する。エンジン停止時間検出部３７は、エンジン停止時間タイマ２７における計時結果に基づいて、エンジンＥが停止してからの経過時間を検出する。
【００３３】
潤滑状態判定部３９は、各検出部３１〜３７での検出結果に基づいて、エンジンＥにおける潤滑状態を判定する。詳細には、エンジンＥにおける潤滑状態が潤滑低下状態であるか否かを、判断基準値としての設定値との比較により判定する。潤滑状態判定部３９は、判定結果をエンジン制御部４１及びモータ制御部４３に送る。
【００３４】
エンジン制御部４１は、潤滑状態判定部３９での判定結果を受けて、潤滑低下状態である場合、エンジンＥを始動させるため、インジェクタ等に制御信号を出力する。また、モータ制御部４３は、潤滑状態判定部３９での判定結果を受けて、潤滑低下状態である場合に、エンジンＥを始動させるため、モータＡを駆動するようにモータコントローラ１３に制御指令を出力する。
【００３５】
続いて、図３を参照して、エンジンコントローラ１１における潤滑状態制御処理について説明する。図３は、エンジンコントローラ１１の潤滑状態制御処理を説明するためのフローチャートである。
【００３６】
エンジンコントローラ１１は、まず、各センサ２１〜２５及びタイマ２７からの情報を読み込んで、各検出部３１〜３７にて各センサ２１〜２５及びタイマ２７の状態を検出する（Ｓ３０１）。次に、エンジンコントローラ１１は、潤滑状態判定部３９にて、エンジンＥにおける潤滑状態が潤滑低下状態であるか否かを判定する（Ｓ３０３）。
【００３７】
なお、潤滑状態判定部３９での潤滑状態の判定に対して、各センサ２１〜２５及びタイマ２７からの情報（各検出部３１〜３７における検出内容）を全て考慮する必要はなく、一部の情報（検出内容）に基づいて判定するようにしてもよい。以下、図４及び図５に基づいて、潤滑状態判定部３９における潤滑状態判定処理の例について説明する。
【００３８】
図４は、エンジンＥの潤滑油温度、冷却水温度、停止時間及び表面温度に基づいて、潤滑状態を判定する手順を示すフローチャートである。ここで、エンジンコントローラ１１は、潤滑状態判定部３９にて、まず、油温検出部３１で検出されたエンジンＥの潤滑油の温度が設定値以下であるか否かを判定する（Ｓ４０１）。潤滑油温度が設定値以下の場合には、次に、水温検出部３３で検出されたエンジンＥの冷却水の温度が設定値以下であるか否かを判定する（Ｓ４０３）。冷却水温度が設定値以下の場合には、次に、エンジン停止時間検出部３７で検出されたエンジンＥの停止時間が設定値以上であるか否かを判定する（Ｓ４０５）。そして、停止時間が設定値以上の場合には、エンジン表面温度検出部３５で検出されたエンジンＥの表面温度が設定値以下であるか否かを判定し（Ｓ４０７）、表面温度が設定値以下の場合には潤滑低下状態と判定する（Ｓ４０９）。一方、潤滑油温度が設定値より高い場合、あるいは、冷却水温度が設定値より高い場合、あるいは、停止時間が設定値より短い場合、あるいは、表面温度が設定値より高い場合には、エンジンコントローラ１１は、正常状態と判定する（Ｓ４１１）。これにより、潤滑油温度が設定値以下、且つ、冷却水温度が設定値以下、且つ、停止時間が設定値以上、且つ、表面温度が設定値以下の場合に、潤滑低下状態であると判定されることとなる。
【００３９】
図５は、エンジンＥの潤滑油温度、冷却水温度、停止時間及び表面温度に基づいて、潤滑状態を判定する手順を示すフローチャートである。ここで、エンジンコントローラ１１は、潤滑状態判定部３９にて、まず、油温検出部３１で検出されたエンジンＥの潤滑油の温度が設定値以下であるか否かを判定する（Ｓ５０１）。そして、潤滑油温度が設定値以下の場合には、水温検出部３３で検出されたエンジンＥの冷却水の温度が設定値以下であるか否かを判定し（Ｓ５０３）、冷却水温度が設定値以下の場合には潤滑低下状態と判定する（Ｓ５０５）。一方、潤滑油温度が設定値より高い場合、あるいは、冷却水温度が設定値より高い場合、エンジンコントローラ１１は、エンジン停止時間検出部３７で検出されたエンジンＥの停止時間が設定値以上であるか否かを判定する（Ｓ５０７）。そして、停止時間が設定値以上の場合には、エンジン表面温度検出部３５で検出されたエンジンＥの表面温度が設定値以下であるか否かを判定し（Ｓ５０９）、表面温度が設定値以下の場合には潤滑低下状態と判定する（Ｓ５０５）。停止時間が設定値より短い場合、あるいは、表面温度が設定値より高い場合には、エンジンコントローラ１１は、正常状態と判定する（Ｓ５１１）。これにより、潤滑油温度が設定値以下且つ冷却水温度が設定値以下、潤滑油温度が設定値以下且つ停止時間が設定値以上且つ表面温度が設定値以下、及び、停止時間が設定値以上且つ表面温度が設定値以下のうちのいずれかの場合に、潤滑低下状態であると判定されることとなる。
【００４０】
なお、潤滑状態判定部３９における潤滑状態判定処理は、図４及び図５に示す処理に限定されるものではなく、潤滑油温度、冷却水温度、停止時間及び表面温度のそれぞれ１つに基づいて判定を行ってもよく、更に潤滑油温度、冷却水温度、停止時間及び表面温度の２以上の組み合わせによって判定を行ってもよい。
【００４１】
再び、図３を参照する。潤滑状態判定部３９にて、上述したいずれかの判定処理に基づいて、エンジンＥにおける潤滑状態が潤滑低下状態であると判定すると、エンジンコントローラ１１は、エンジン制御部４１にて、エンジンＥが停止中であるか否かを判定する（Ｓ３０５）。エンジン制御部４１にて、エンジンＥが停止中であると判定すると、エンジンコントローラ１１は、エンジンＥを再始動させるため、エンジン制御部４１からインジェクタ等に制御信号を出力すると共に、モータ制御部４３からモータＡを駆動するようにモータコントローラ１３に制御指令を出力する（Ｓ３０７）。これにより、エンジンＥが再始動されて、オイルポンプが駆動されることとなり、エンジンＥの摺動部にオイルが供給されて、エンジンＥが潤滑された状態に保持される。
【００４２】
一方、エンジン制御部４１にて、エンジンＥが停止中ではなく運転中であると判定すると、エンジンコントローラ１１は、上述したハイブリッド制御システム全体の通常制御を実行するが、潤滑状態を維持させるために、エンジンＥの停止を禁止するよう制御を行う（Ｓ３０９）。これにより、オイルポンプが継続して駆動されることとなり、エンジンＥの摺動部にオイルが供給されて、エンジンＥが潤滑された状態に保持される。
【００４３】
なお、潤滑状態判定部３９にて、エンジンＥにおける潤滑状態が潤滑低下状態ではなく正常状態であると判定すると、エンジンコントローラ１１は、上述したハイブリッド制御システム全体の通常制御を実行する（Ｓ３１１）。
【００４４】
以上のように、本実施形態においては、エンジンコントローラ１１の潤滑状態判定部３９によりエンジンＥにおける潤滑状態が潤滑低下状態であると判定されると、エンジンＥを再始動するために、エンジン制御部４１からインジェクタ等に対して制御信号が出力されると共に、モータ制御部４３からモータＡを駆動するようにモータコントローラ１３に対して制御指令が出力されて、エンジンＥが再始動する。これにより、エンジンＥが停止されて潤滑状態が低くなってきた場合には、ハイブリッド車両１の走行状態に関係なくエンジンＥが潤滑された状態に保持されることとなり、油膜が適切に形成される。この結果、エンジンＥの再始動直後の加速時等において、油膜形成不良により信頼性が悪化するのを防ぐことができる。また、エンジンＥが潤滑された状態に保持されていることから、エンジン回転数の上昇を低下方向に補正するといった制御を実行する必要がなく、走行性の低下を防止することができる。なお、エンジンＥの停止状態からエンジンＥを再始動させたとしても、エンジン回転数がアイドル回転数から急激に高くなるようなことはなく、信頼性が悪化するようなことはない。
【００４５】
また、本実施形態においては、エンジンＥを再始動させることにより、当該エンジンＥを潤滑された状態に保持している。これにより、極めて簡易且つ容易に、エンジンＥを潤滑された状態に保持することができる。
【００４６】
また、本実施形態においては、潤滑状態判定部３９は、エンジンＥの潤滑油の温度に基づいて潤滑状態を判定している。これにより、エンジンＥの潤滑状態を適切に判定することができる。
【００４７】
また、本実施形態においては、潤滑状態判定部３９は、エンジンＥの冷却水の温度に基づいて潤滑状態を判定している。これにより、エンジンＥの潤滑状態を適切に判定することができる。
【００４８】
また、本実施形態においては、潤滑状態判定部３９は、エンジンＥの表面温度に基づいて潤滑状態を判定している。これにより、エンジンＥの潤滑状態を適切に判定することができる。
【００４９】
また、本実施形態においては、潤滑状態判定部３９は、エンジンＥが停止してからの経過時間に基づいて潤滑状態を判定している。これにより、エンジンＥの潤滑状態を適切に判定することができる。
【００５０】
次に、図６〜図１０を参照して、エンジンコントローラ１１における潤滑状態制御処理の変形例について説明する。図６〜図１０は、エンジンコントローラ１１の潤滑状態制御処理の変形例を説明するためのフローチャートである。
【００５１】
まず、図６に示された変形例について説明する。本変形例においては、Ｓ３０３にて、エンジンＥにおける潤滑状態が潤滑低下状態ではなく正常状態であると判定すると、エンジンコントローラ１１は、エンジン制御部４１にて、エンジンＥが停止中であるか否かを判定する（Ｓ５５０１）。エンジンＥが停止中であると判定すると、エンジンコントローラ１１は、上述した通常制御を実行する（Ｓ３１１）。
【００５２】
そして、エンジンＥが停止中ではないと判定すると、エンジンコントローラ１１は、現在の走行条件においてエンジンＥの駆動が必要か否かを判定し（Ｓ５５０３）、必要である場合には、上述した通常制御を実行する（Ｓ３１１）。一方、エンジンＥの駆動が必要でない場合（例えば、モータＢのみによる駆動状態の場合）は、エンジンコントローラ１１は、エンジンＥを停止させるため、エンジン制御部４１からインジェクタ等に制御信号を出力する（Ｓ５５０５）。
【００５３】
本変形例によれば、潤滑状態判定部３９によりエンジンＥにおける潤滑状態が所定の潤滑状態（潤滑低下状態ではなく正常に潤滑された状態）であると判定された際に、エンジンＥを停止させるようにしているため、必要以上にエンジンＥを駆動させるのを防止して、エネルギーロスを抑制することができる。また、現在の走行条件においてエンジンＥの駆動が必要でない場合において、エンジンＥを停止させるようにしているため、走行性に悪影響を及ぼすことはない。
【００５４】
次に、図７に示された変形例について説明する。本変形例においては、エンジンコントローラ１１に設定可変スイッチ（ＳＷ）が接続され、当該設定可変スイッチからの信号が入力されている。エンジンコントローラ１１は、各センサ２１〜２５及びタイマ２７からの情報を読み込んで、各検出部３１〜３７にて各センサ２１〜２５及びタイマ２７の状態を検出すると（Ｓ３０１）、設定可変スイッチがＯＮされているか否かを判定する（Ｓ５６０１）。ここで、設定可変スイッチは、乗員により操作されるスイッチであり、潤滑状態判定部３９での潤滑状態の判定に用いる設定値を変更するためのものである。
【００５５】
例えば、モータＢのみによる走行が多い低燃費走行の場合、エンジンＥを始動する機会が少なくなるため、比較的に低潤滑状態であってもよく、一方、モータＢとエンジンＥとによる走行が多い高出力走行の場合、エンジンＥを始動する機会が多くなるため、潤滑された状態であることが望ましい。このため、低燃費走行を行う場合には、乗員が設定可変スイッチをＯＮにすることで、潤滑油温度、冷却水温度及び表面温度に関する設定値を低くし、停止時間に関する設定値を長くして、エンジンＥを再始動させる頻度を少なくする。そして、高出力走行を行う場合には、乗員が設定可変スイッチをＯＦＦにすることで、潤滑油温度、冷却水温度及び表面温度に関する設定値を高くし、停止時間に関する設定値を短くして、エンジンＥを再始動させる頻度を多くする。
【００５６】
設定可変スイッチがＯＮの場合には、エンジンコントローラ１１は、潤滑状態判定部３９にて、上述したように低燃費走行に適して変更された設定値を用いて、エンジンＥにおける潤滑状態が潤滑低下状態Ｌ１であるか否かを判定する（Ｓ５６０３）。潤滑低下状態Ｌ１であると判定すると、エンジンコントローラ１１は、エンジンＥが停止中であるか否かを判定し（Ｓ３０５）、エンジンＥが停止中であると判定すると、エンジン制御部４１からインジェクタ等に制御信号を出力すると共に、モータ制御部４３からモータＡを駆動するようにモータコントローラ１３に制御指令を出力する（Ｓ３０７）。これにより、エンジンＥが再始動される。
【００５７】
一方、エンジンＥが停止中ではないと判定すると、エンジンコントローラ１１は、上述した通常制御を実行するが、エンジンＥの停止を禁止するよう制御を行う（Ｓ３０９）。なお、エンジンＥにおける潤滑状態が潤滑低下状態Ｌ１ではなく正常状態であると判定すると、エンジンコントローラ１１は、上述した通常制御を実行する（Ｓ５６０５）。
【００５８】
また、設定可変スイッチがＯＦＦの場合には、エンジンコントローラ１１は、潤滑状態判定部３９にて、上述したように高出力走行に適して変更された設定値を用いて、エンジンＥにおける潤滑状態が潤滑低下状態Ｌ２であるか否かを判定する（Ｓ５６０７）。潤滑低下状態Ｌ２であると判定すると、エンジンコントローラ１１は、Ｓ３０５に進んで、潤滑低下状態Ｌ１の場合と同じ処理を行う。なお、エンジンＥにおける潤滑状態が潤滑低下状態Ｌ２ではなく正常状態であると判定すると、エンジンコントローラ１１は、上述した通常制御を実行する（Ｓ５６０９）。
【００５９】
本変形例によれば、潤滑状態を判定するための設定値（判定基準値）が可変とされて、当該可変とされた設定値との比較により潤滑状態を判定している。これにより、エンジンの潤滑状態を適切且つ簡易に判定することができる。また、設定値は、乗員により変更可能であるので、当該設定値を走行条件等に応じて乗員が適切に設定することができ、エンジンＥをより一層適切な潤滑状態に保持することができる。
【００６０】
次に、図８に示された変形例について説明する。本変形例においては、エンジンコントローラ１１に外気温度センサが接続され、当該外気温度センサからの信号が入力されている。エンジンコントローラ１１は、まず、外気温度センサからの情報を読み込んで、外気温度を検出する（Ｓ５７０１）。そして、検出した外気温度に基づいて、設定値を演算して、決定する（Ｓ５７０３）。本変形例において、潤滑状態の判定に外気温度を考慮するのは、外気温度が低いほど潤滑条件が厳しくなるため、外気温度が高い場合に比して、エンジンを再始動しやすい判定条件（設定値）に変更して、より一層潤滑された状態としておくことが望ましいためである。
【００６１】
そして、外気温度に基づいて設定値を演算、決定すると、エンジンコントローラ１１は、図３に示された処理と同じく、決定された設定値に基づいて潤滑状態が潤滑低下状態であるか否かを判定し、それ以降の処理を実行していく。
【００６２】
本変形例によれば、潤滑状態を判定するための設定値（判定基準値）が、外気温度に応じて変更されるので、設定値を外気の状態に応じて適切に設定することができ、エンジンＥをより一層適切な潤滑状態に保持することができる。
【００６３】
次に、図９に示された変形例について説明する。本変形例においては、Ｓ３０５にて、エンジンＥが停止中であると判定すると、エンジンコントローラ１１は、現在の走行条件においてエンジンＥの駆動が必要か否かを判定する（Ｓ５８０１）。エンジンＥの駆動が必要である場合（例えば、急加速時等の場合）には、エンジンＥを再始動させるため、エンジン制御部４１からインジェクタ等に制御信号を出力すると共に、モータ制御部４３からモータＡを駆動するようにモータコントローラ１３に制御指令を出力し（Ｓ５８０３）、その後、上述した通常制御（エンジンＥの停止を禁止するよう制御を含む）を実行する（Ｓ３０９）。
【００６４】
一方、エンジンＥの駆動が必要でない場合（例えば、モータＢのみによる駆動状態の場合）、エンジンコントローラ１１は、モータ制御部４３からモータＡを駆動するようにモータコントローラ１３に制御指令を出力する（Ｓ５８０５）。この場合、エンジンＥが再始動することはないが、オイルポンプは駆動されることから、エンジンＥの摺動部にオイルが供給されて、エンジンＥが潤滑された状態に保持されることとなる。
【００６５】
エンジンＥが停止中ではないと判定すると、エンジンコントローラ１１は、上述した通常制御を実行するが、潤滑状態を維持させるために、エンジンＥの停止を禁止するよう制御を行う（Ｓ３０９）。なお、エンジンＥにおける潤滑状態が潤滑低下状態ではなく正常状態であると判定すると、エンジンコントローラ１１は、上述した通常制御を実行する（Ｓ３１１）。
【００６６】
本変形例によれば、モータＡを駆動することにより、エンジンＥを再始動させることなく、当該エンジンＥを潤滑された状態に保持している。これにより、極めて簡易且つ容易に、エンジンＥを潤滑された状態に保持することができる。
【００６７】
次に、図１０に示された変形例について説明する。本変形例においては、Ｓ３０３にて、エンジンＥにおける潤滑状態が潤滑低下状態ではなく正常状態であると判定すると、エンジンコントローラ１１は、エンジンＥが停止中であるか否かを判定し（Ｓ５９０１）、エンジンＥが停止中であると判定すると、モータＡが駆動中であるか否かを判定する（Ｓ５９０３）。モータＡが駆動中であるか否かの判定は、モータコントローラ１３から送られる情報に基づいて判断することができる。モータＡが駆動中である場合、エンジンコントローラ１１は、モータ制御部４３からモータＡの駆動を停止するようにモータコントローラ１３に制御指令を出力する（Ｓ５９０５）。
【００６８】
一方、モータＡが駆動中でない場合、エンジンコントローラ１１は、上述した通常制御を実行する（Ｓ３１１）。また、エンジンＥが停止中でないと判定した場合も、エンジンコントローラ１１は、上述した通常制御を実行する（Ｓ３１１）。
【００６９】
本変形例によれば、潤滑状態判定部３９によりエンジンＥにおける潤滑状態が所定の潤滑状態（潤滑低下状態ではなく正常に潤滑された状態）であると判定された際に、モータＡの駆動を停止させるようにしているため、必要以上にモータＡを駆動させるのを防止して、エネルギーロスを抑制することができる。
【００７０】
本発明は、前述した実施形態及びその変形例に限定されるものではない。例えば、図１１に示されるように、エンジンＥの冷却装置Ｃ１とモータＡ，Ｂの冷却装置Ｃ２とを独立して設け、エンジンＥの冷却系統とモータＡ，Ｂの冷却系統とを分割したタイプのハイブリッド車両５１にも、本発明を適用することができる。このように、エンジンＥの冷却系統とモータＡ，Ｂの冷却系統とを分割すると、エンジンＥの冷却水の温度を水温センサ２３にて適切に検知することができる。なお、図１１においては、油温センサ２１、エンジン表面温度センサ２５、エンジン停止時間タイマ２７の図示を省略している。
【００７１】
また、本実施形態は、主に発電用に用いるモータＡと主に走行駆動用に用いるモータＢの２つのモータを有するシリーズ＆パラレル方式のハイブリッド車両で説明しているが、発電と走行駆動とを１つのモータで行うパラレルハイブリッド車両等であっても適用できることは云うまでもない。
【００７２】
【発明の効果】
本発明によれば、ハイブリッド車両において、エンジンの再始動直後の加速時等における信頼性悪化を防止すると共に、走行性低下を防止することが可能な車両制御装置を提供することができる。
【図面の簡単な説明】
【図１】本実施形態に係るハイブリッド車両の構成を示す概略図である。
【図２】本実施形態に係るハイブリッド車両に含まれるエンジンコントローラの構成を示すブロック図である。
【図３】エンジンコントローラでの潤滑状態制御処理を説明するためのフローチャートである。
【図４】潤滑状態判定部における潤滑状態判定処理の一例について説明するためのフローチャートである。
【図５】潤滑状態判定部における潤滑状態判定処理の一例について説明するためのフローチャートである。
【図６】エンジンコントローラでの潤滑状態制御処理の変形例を説明するためのフローチャートである。
【図７】エンジンコントローラでの潤滑状態制御処理の変形例を説明するためのフローチャートである。
【図８】エンジンコントローラでの潤滑状態制御処理の変形例を説明するためのフローチャートである。
【図９】エンジンコントローラでの潤滑状態制御処理の変形例を説明するためのフローチャートである。
【図１０】エンジンコントローラでの潤滑状態制御処理の変形例を説明するためのフローチャートである。
【図１１】本実施形態に係るハイブリッド車両の変形例の構成を示す概略図である。
【符号の説明】
１，５１…ハイブリッド車両、１１…エンジンコントローラ、１３…モータコントローラ、１５…バッテリ、２１…油温センサ、２３…水温センサ、２５…エンジン表面温度センサ、２７…エンジン停止時間タイマ、３１…油温検出部、３３…水温検出部、３５…エンジン表面温度検出部、３７…エンジン停止時間検出部、３９…潤滑状態判定部、４１…エンジン制御部、４３…モータ制御部、Ａ，Ｂ…モータ、Ｅ…エンジン、ＴＭ…動力伝達機構。
【図１】
2004204712.tif 000003
【図２】
2004204712.tif 000004
【図３】
2004204712.tif 000005
【図４】
2004204712.tif 000006
【図５】
2004204712.tif 000007
【図６】
2004204712.tif 000008
【図７】
2004204712.tif 000009
【図８】
2004204712.tif 000010
【図９】
2004204712.tif 000011
【図１０】
2004204712.tif 000012
【図１１】
2004204712.tif 000013